(57)【要約】  【課題】  簡単な構成かつ簡単な方法で、ドライバの好みに応じた機能をステアリングスイッチに割り付けることができる車載電子装置を提供すること。  【解決手段】  ステアリングホイール３０に設けられたステアリング釦３１ａ〜３１ｆを操作することで発生（あるいは変化）する所定の電圧値を検出し、この電圧値とカーオーディオ１０の所定の機能とを対応付けて記憶することにより、簡単な構成でユーザの希望するカーオーディオの機能をステアリング釦３１ａ〜３１ｆで操作することができる。【選択図】  図３
2008265633.tif 000002
【特許請求の範囲】
【請求項１】
自装置に接続可能な外部操作装置を用いて操作可能な車載電子装置であって、
自装置の操作部または前記外部操作装置の操作に応じた機能を実行する動作モードと前記外部操作手段に自装置の機能を割り当て記憶する機能記憶モードとを切替えて自装置を制御する制御手部と、
前記動作モードと前記機能記憶モードとを切替えるモード切替え釦と、
前記外部装置の操作に応じて発生した外部操作信号を検出する信号検出部と、
前記検出部で検出した信号と自装置の機能とを対応付けて記憶するメモリとを有したことを特徴とする車載電子装置。
【請求項２】
前記信号検出部は、前記外部操作信号の信号レベルを検出することを特徴とする請求項１記載の車載電子装置。
【請求項３】
前記機能記憶モードにおいて、前記メモリは、前記外部操作信号の信号レベルと前記外部操作信号の継続時間とを検出することを特徴とする請求項１記載の車載電子装置。
【請求項４】
前記外部操作装置は、車両のステアリングホイールに設けられた操作釦であることを特徴とする請求項１ないし請求項３のいずれか記載の車載電子装置。
【発明の詳細な説明】
【技術分野】
【０００１】
本発明は、車両等のステアリングホイールに組込まれた操作スイッチを用いて操作される車載用の電子装置に関するものであり、ステアリングに組み込まれた操作スイッチを操作者の好みの機能スイッチに割り振ることができる車載電子装置に関するものである。
【背景技術】
【０００２】
従来の車載用電子装置として、ユーザが操作スイッチを操作することで、センタークラスタＰＣに記憶された複数のステアリングスイッチ機能コードの中からステアリングスイッチ群に割り付けるステアリングスイッチ機能コードが選択できる。この割り付け後に、ユーザが、ステアリングスイッチを押下すると、センタークラスタＰＣにおいて、当該押下されたステアリングスイッチに割り付けられた機能が、ステアリングスイッチ機能コードを参照して特定され、それに応じた制御対象に制御信号が出力される。これにより、ドライバの好みに応じた機能をステアリングスイッチに自由に割り付けることができるステアリングスイッチ機能割付装置およびその方法が知られている（例えば特許文献１参照）。
【特許文献１】特開平１０−３０８１３６号公報
【発明の開示】
【発明が解決しようとする課題】
【０００３】
しかしながら、従来のステアリングスイッチ機能割付装置においては、ステアリングスイッチ割付ソフトを備えたセンタークラスタＰＣを用いて機能割付けを行う必要があり、システムが複雑で高価なものとなるという問題があった。
【０００４】
本発明は、従来の問題を解決するためになされたもので、簡単な構成かつ簡単な方法で、ドライバの好みに応じた機能をステアリングスイッチに割り付けることができる車載電子装置を提供することを目的とする。
【課題を解決するための手段】
【０００５】
本発明の車載電子装置は、自装置に接続可能な外部操作装置を用いて操作可能な車載電子装置であって、自装置の操作部または前記外部操作装置の操作に応じた機能を実行する動作モードと前記外部操作手段に自装置の機能を割り当て記憶する機能記憶モードとを切り替えて自装置を制御する制御手部と、前記動作モードと前記機能記憶モードとを切り替えるモード切替釦と、前記外部装置の操作に応じて発生した外部操作信号を検出する信号検出部と、前記検出部で検出した信号と自装置の機能とを対応付けて記憶するメモリとを有している。
【０００６】
この構成により、簡単な構成かつ簡単な方法で、ドライバの好みに応じた機能を装置外部の外部操作装置に割り付けることができる。
【０００７】
また、本発明の車載電子装置は、前記信号検出部が、前記外部操作信号の信号レベルを検出する構成を有している。ここで、信号レベルとは、より具体的には信号の電圧値を指す。
【０００８】
この構成により、外部操作装置との通信を行うために複雑なシステムを組む必要がなく、信号レベルを検出するだけの簡単な構成で装置を実現できる。
【０００９】
さらに、本発明の車載電子装置は、前記機能記憶モードにおいて、前記メモリは、前記外部操作信号の信号レベルと前記外部操作信号の継続時間とを検出する構成を有している。
【００１０】
ここで、外部操作信号の継続時間を検出するとは外部操作装置が釦である場合、釦を長く押し続ける所謂長押しや、釦を短く押す（以下、短押しと言う）ことを区別して検出することを指す。
【００１１】
この構成により、同じ外部操作釦に対して複数の機能を割当てることができるので、外部操作装置で操作できる車載電子装置の機能数を増やすことができる。
【００１２】
そして、本発明の車載電子装置は、前記外部操作装置が、車両のステアリングホイールに設けられた操作釦である構成を有している。
【００１３】
この構成により、車両の運転者の近傍に外部操作装置と接続することとなるので、車両に搭乗しているのが運転者だけの場合であっても、容易に車載電子装置の操作を行うことができる。
【発明の効果】
【００１４】
本発明は、ステアリング釦を操作することによって発生する（あるいは変化する）信号の電圧値と操作したステアリング釦にユーザが設定したい車載電子装置の機能とを対応付けて記憶するようにしことにより、簡単な構成かつ簡単な方法で、ドライバの好みに応じた機能をステアリング釦に割り付けることができるという効果を有する車載電子装置を提供することができるものである。
【発明を実施するための最良の形態】
【００１５】
以下、本発明の実施形態に係る車載用電子装置を、図面を参照して説明する。なお、本発明の実施形態では、車載電子装置の一例として、カーオーディオに発明技術を適用した場合について説明する。
【００１６】
（第１の実施の形態）
図１は、本発明の第１の実施の形態におけるカーオーディオの正面視図である。図１において、参照符号１０は、カーオーディオを示す。このカーオーディオ１０は、ＣＤ（Compact Disc）やＤＶＤ（Digital Versatile Disc）などの円盤状の記録メディアを再生するための機器（図示せず）や、ラジオを受信するための機器（図示せず）や、カーオーディオ全体の制御をするための制御マイコン（図示せず）などがその内部に設けられている。
【００１７】
図示されるように、カーオーディオ１０には、ユーザがカーオーディオ１０を操作するための操作ボタンなどがカーオーディオ１０の前面に配列された操作パネル１１が設けられている。
【００１８】
操作パネル１１には、記録メディアを再生する際にオーディオ１０の内部に挿入するためのディスク挿入口１２、音量または音質を調整するためのボリューム１３、記録メディアの再生状態や、受信中のラジオ局の情報、さらには音量レベルあるいは音質のパラメータなどを表示するためにＬＣＤ（Liquid Crystal Display）を用いた表示部１４などを有するほか、操作釦として、カーオーディオ１０の電源をＯＮ／ＯＦＦするための電源釦１５や、記録メディアのトラック番号やラジオの受信局を選択する場合などに用いる各プリセット釦１６ａ〜１６ｃ、詳細は後述するが、カーオーディオ１０を搭載する車両におい
て、その車両のステアリングホイールに設けられた釦に対して、カーオーディオ１０の各機能を割り振る際にリターンキーなどとして使用する記憶モード釦１７や、受信したいラジオ放送局の選局やシークに用いたり、あるいは記録メディア再生時の選曲に用いる選択釦１８などが設けられている。本実施の形態において、選択釦１８は、図１を参照した場合の上下左右方向に操作可能および機能確定可能な釦を用いており、上下に操作した場合は、ＡＭラジオモード、ＦＭラジオモード、テレビモード、記録メディア再生モードなどモードを切替える操作釦として機能し、左右に操作した場合は、例えばＦＭラジオモードの状態であれば、受信周波数を規定数だけ上下させたり、ＣＤ再生モードの状態であればＣＤのトラックナンバーを上下させるように機能する。さらに、選択釦１８を左右方向のいずれか一方に長押しする（たとえば２秒以上押下し続ける）と、ラジオ、テレビの各モードにおいてはシーク動作を実行し、ＣＤなどの記録メディア再生モードにおいては早送りや巻戻し（ＦＦ／ＲＥＷ）動作を実行する。
【００１９】
図２は、本発明の実施形態のカーオーディオ１０が車両に搭載された状態を示している。カーオーディオ１０は一般的に、車両の室内前方中央部であって車両の前席に着座したユーザが簡単に操作できる範囲内に搭載される。また、カーオーディオ同様に車両の前席に着座したユーザが簡単に操作できるようにカーオーディオ１０の下（あるいは上）にエアコン機器２０が搭載されている。
【００２０】
図２において、カーオーディオ１０の背面（操作パネル部１１の対面）側では、カーオーディオ１０と車両のステアリングホイール３０とが電気的に接続されている。ここで、電気的に接続される状態とは詳細は後述するが、ステアリングホイール３０に設けられたステアリング釦３１ａ〜３１ｆを押下することで発生する（あるいは値が変化する）電気信号をカーオーディオ１０の内部に設けられた電子部品などで検出できるようにカーオーディオ１０とステアリングホイール３０とがコネクタを介して導電線で接続されている状態をいう。
【００２１】
図３はカーオーディオ１０とステアリングスイッチ３０との機能ブロックを示す図である。
【００２２】
図３に示されるように、カーオーディオ１０は、外部の受信用アンテナ（ＡＮＴ）に接続可能に設けられ、テレビ放送やラジオ放送などを受信するためのチューナ４１と、ＣＤやＤＶＤなどの記録メディアを再生するメディア再生部４２と、これら音源から出力された音声信号に対し信号処理を行って音源の音量や音質を調整するためのＤＳＰ４３（デジタルサウンドプロセッサ）と、ＤＳＰ４３で処理された音声信号を増幅する増幅器４４と、車両に搭載されたバッテリーに接続される電源安定化回路（電解コンデンサや、サージアブソーバ等を含む）等を介して接続される電源コントローラ４５と、マイコン４６と、コネクタ４９とを有する。
【００２３】
ここで、ＤＳＰ４３は、代替として最低限電子ボリューム機能を有し、ユーザの操作に応じて音量や音質調整を実行することができるものであればよい。
【００２４】
また、図示しない車両のバッテリーなどから電源安定化回路で安定化された電源電力が電源コントローラ４５へ供給され、電源コントローラ４５は、その電源電圧を増幅器４４、ＤＳＰ４３、マイコン４６等の各電子部品に供給し、かつ、その電源供給量やタイミングを制御する。すなわち、電源コントローラは、電圧値を変換するレベルシフト機能や、マイコン４６とシリアル通信を行うことで部品への電源供給タイミングを適正にオン／オフさせるなどのコントロール機能を有している。
【００２５】
なお、カーオーディオ１０は、増幅器４４で増幅された音声信号を音声として出力する
ためのスピーカ（ＳＰ）や、ラジオ放送やテレビ放送などの放送電波を受信するための外部アンテナＡＮＴなどと接続可能になっている。
【００２６】
操作部４７は、図２におけるボリューム１３、電源釦１５、各プリセット釦１６ａ〜１６ｃなどの、ユーザがカーオーディオ１０を操作するためのものをまとめて操作部４７として図示している。この操作部４７は、表示部１４の表示内容を制御する表示ドライバ４８に接続されており、表示ドライバ４８は、マイコン４６にも接続されているので、ユーザによって、どの操作ボタンが操作されたかをキーマトリクスなどを利用して表示ドライバ４８が検出し、そのキー操作情報をマイコン４６に送信するとともに、操作に応じた表示を表示部１４に表示させるために的確な表示信号を供給する。表示部１４（ＬＣＤ等）は、表示ドライバ４８から送られてきた表示信号に応じて、現在のモード表示や音量値表示あるいは音質表示などを行う。
【００２７】
また、図３において、信号発生器５１はステアリングホイール３０の内部に設けられている。この信号発生器５１とカーオーディオ１０とは、コネクタ５０を介して導電線で接続されており、さらに、信号発生器５１がカーオーディオ１０の電源コントローラ４５と電気的に接続されている。より詳細には、は、電源コントローラ４５から信号発生器５１のVｃｃ端子へ電圧Ｖｃｃ（Ｖ）の電源が供給され、また、カーオーディオ１０の接地レベルＧＮＤと信号発生器５１の接地レベルとが同電位になるようにそれぞれ接続されている。
【００２８】
信号発生器５１は複数のスイッチＳＷａ１〜ＳＷａ３、ＳＷｂ１〜ＳＷｂ３を有しており、図２におけるステアリング釦３１ａ〜３１ｆに対応した位置にそれぞれ設けられている。より詳細には、ステアリング釦３１ａを押下するとＳＷａ１が閉じてスイッチＳＷａ１の端子間が導通する。同様に、ステアリング釦３１ｂに対応してスイッチＳＷａ２、ステアリング釦３１ｃに対応してＳＷａ３、ステアリング釦３１ｄに対応してＳＷｂ１、ステアリング釦３１ｅに対応してＳＷｂ２、ステアリング釦３１ｆに対応してＳＷｂ３が、それぞれ導通するように設けられている。
【００２９】
信号発生器５１は、図３に示すように、複数の抵抗５２ａ〜５２ｄおよび５３ａ〜５３ｄを有しており、上述したスイッチＳＷａ１〜ＳＷａ３、ＳＷｂ１〜ＳＷｂ３の開閉、すなわち、ステアリング釦のＯＮ／ＯＦＦ操作によって端子Ｓａまたは端子Ｓｂの電位（Ｖ）が変化するように接続されている。また、端子Ｓａおよび端子Ｓｂはコネクタ５０およびコネクタ４９を介してカーオーディオ１０のマイコン４６に電気的に接続されており、マイコン４６がスイッチのＯＮ／ＯＦＦ操作によって変化する端子Ｓａ（Ｓｂ）の電位を検出することで、複数のステアリング釦の何れが押下されたかを検出し、検出結果に対応してマイコン４６が次処理に移行する。
【００３０】
したがって、マイコン４６は少なくとも次に示す機能を有している。まず、入力ポート。これは、信号発生器５１から出力された信号を入力するためのポート、表示ドライバ４８とマイコン４６との間で操作部４７で何れの操作が行われたかなどのデータ通信を行うためのポート、電源コントローラ４５とマイコン４６との間でカーオーディオ内部のどの部品にどのタイミングで電源を供給するかなどの制御を実行するためにデータ通信を行うためのポートなどを有する。そして、入力電圧の電圧値の変化を検知できる機能。これは、アナログ信号をデジタル信号に変換するＡ／Ｄコンバータなどを用いて構成され、信号発生器５１からマイコン４６へ入力されたアナログ信号をデジタル信号に変換してマイコン４６内部でデジタル信号処理できる機能を有する。すなわち、ステアリング釦３１ａ〜３１ｆを押下する事によりマイコン４６に入力される電圧値が変化（たとえば０Ｖ〜５Ｖの範囲内での変化など）した際に。電圧値を８ｂｉｔのデジタル信号（０〜２５５）に変換してどの釦が押下されたかを識別する。さらに、所謂ＣＰＵ（Central Processing Uni
t）などのデジタル信号の演算処理機能、デジタル信号をマイコン４６と表示ドライバ４８との間またはマイコン４６と電源コントローラ４５との間でシリアル通信を行うためのインターフェイス機能、カーオーディオの各種制御を行うための制御信号を出力する出力ポート、ＲＡＭ（Random Access Memory）などマイコン４６のＣＰＵで演算処理するために必要なデジタルデータや演算処理によって得られたデータを一時的に記憶するメモリ機能、などを有している。
【００３１】
以上のように構成されたカーオーディオ１０およびステアリングホイール３０について、ステアリング釦の機能割り当てについて、詳細な動作説明を行う。
【００３２】
図４は、本実施の形態における、ステアリング釦の機能割り当てのフロー図を示す。
まず、準備段階として、ユーザは車両のイグニッションキーを操作してＢＡＴ／ＯＮ、ＡＣＣ／ＯＮの状態にする。この状態で、カーオーディオ１０の電源が入っている状態であれば、電源釦１５を１回押下して、カーオーディオ１０を電源ＯＦＦ状態にする。
【００３３】
ここで、カーオーディオ１０の電源ＯＦＦ状態とは、車両バッテリーからカーオーディオ１０への電源供給を遮断してゼロとするのではなく、マイコン４６をスタンバイ状態（低消費電力状態）にし、各操作釦を操作しても、カーオーディオのそれぞれの機能が動作しない状態を指す（但し表示に関する機能は動作する）。準備段階として、カーオーディオ１０の電源をＯＦＦとするのは、ユーザの誤操作によるカーオーディオ１０の誤動作を防ぐためである。また、本実施の形態においては、信号発生器５１の電源Ｖｃｃがカーオーディオ１０からコネクタを介して供給されているので、車両側の電源をＯＮする必要がなく、誤操作による車両側の誤動作が防止できる。さらに、信号発生器５１への供給電圧は、電源コントローラで電圧値を変換して供給されるので、ＣＰＵの入力電圧の限度を考慮して適宜変更することができ、汎用性を高めることができる。
【００３４】
この状態でユーザが記憶モード釦１７を押下する（ステップ１０１）。すると、スタンバイ状態のマイコン４６がこの操作を検知し、記憶モード釦１７が押下されてから押下状態にある間の経過時間を計測する（ステップＳ１０２）。この際、記憶モード釦１７が押下されて始めてから２秒間継続して記憶モード釦１７が押され続けた場合、２秒経過した時点で機能記憶モードへ移行する。このとき、記憶モード釦１７が押下され始めてから釦の押下状態が２秒継続しなかった場合は機能記憶モードに移行せず、処理を終了し（ステップＳ１０３）そのままマイコン４６がスタンバイ状態となる。
【００３５】
ここで、カーオーディオ１０が機能記憶モードになった状態とは、複数のステアリング釦のうち、どのステアリング釦を押下すればカーオーディオ１０のどの機能が動作するかをユーザが自由に設定できる状態であり、ユーザの誤操作などによる誤動作防止のために、機能釦を操作してもラジオやメディア再生部などの各オーディオ機能が動作しないように、電源コントローラ４５が電源の供給を停止している状態である。この状態においては、マイコン４６と電源コントローラ４５と、表示ドライバ４８と表示部１４などの機能記憶設定に必要な部品のみに電源電力が供給される状態である。
【００３６】
機能記憶モードへ移行すると、カーオーディオ１０の動作状態が通常動作モードから機能記憶モードへ移行したことを通知するため、さらにはユーザの希望するステアリング釦に設定したい機能の選択を促すために、機能記憶モード通知メッセージを表示部１４に表示する（ステップＳ１０４）。具体的には、例えば「ＳＥＬＥＣＴ  ＡＮＹ  ＦＵＮＣＴＩＯＮ」などの表示を行う。
【００３７】
このメッセージを表示した後にいずれかの釦を押した時点でメッセージ表示が終了し、機能選定処理に移行する。機能選定処理とは、ユーザが希望するステアリング釦に設定し
たい機能（すなわち、ユーザがそのステアリング釦を押下操作したときに起動するカーオーディオの機能）をユーザが選定し、それをカーオーディオ１０に認識させるための処理を指す。
【００３８】
機能選定処理時は、表示部１４に表示される表示内容は通常動作モードと同じになる。たとえば、機能選定処理時にユーザが選択釦１８を操作してＦＭラジオモードにした場合、ＦＭ○○．○ＭＨｚ等（ＦＭモードなのかＡＭモードなのか、さらには、受信周波数など）が表示され、さらに、ＡＭ／ＦＭモード切替、プリセットの読み出し、放送局変更などの釦操作を行うと、釦操作に合わせて通常動作モードと同様の内容が表示される。この表示動作は、メディア再生時などの他のモードに対しても同様に通常動作時と同じ表示内容が表示部１４に表示される。
【００３９】
ユーザは、機能選定のための釦操作をしつつ、表示部の表示内容を確認しながらユーザが選定した機能を確定したい状態が表示されたらその機能を確定するために機能確定釦を押下する（ステップＳ１０５）。本実施形態の場合、機能確定釦は記憶モード釦１７と共用しており、この釦を長押し（２秒以上）することで上述したとおり機能記憶モードに移行し、短押（２秒未満）することで機能確定としている。ただし、釦の共用は必須ではなく、操作パネル１１のレイアウトなどを加味して個別の釦を設けるようにしても良い。
【００４０】
このように、機能確定釦を押す直前に表示部に表示された内容が、以下の処理で確定される「ユーザが希望するステアリング釦に設定される機能」となる。
【００４１】
ただし、たとえばラジオのＦＭモードを選択する場合、ステアリング釦を操作することで「単にラジオのＦＭモードに切り替えたい」のか、あるいは「ラジオのＦＭのユーザが希望する放送局に切替えたい」のかは、ユーザによって好みが異なるところである。
【００４２】
ここで、カーオーディオ１０において、機能記憶モード中はラジオチューナ４１の電源に電力が供給されておらず、放送波の電界強度を比較するなどの制御ができないため、所謂シーク動作による受信放送局の確定は不可能であるが、マイコン４６の処理と表示部１４の表示処理としては、受信可能な放送局を検出するために受信周波数を走査し続ける処理に移行するので表示部１４での表示は放送局が定まらず、絶えずカウントアップ（またはダウン）し続ける表示をおこなってしまう。そこで、これを利用して、ユーザがステアリング釦の操作で「単にラジオのＦＭモードに切り替えたい」場合はシーク動作開始させて周波数の走査状態にあるときに機能確定釦を押すようにし、「ステアリング釦の操作でラジオのＦＭのユーザが希望する放送局に切り替えたい」場合は、シーク動作をさせず、選択釦１８を用いて周波数をカウントアップ（またはカウントダウン）して希望する放送局を確定して表示部１４に表示させた状態で機能確定釦１７を押すようにすることで設定処理を分けている。これは、メディア再生モードについても早送り動作などを利用してラジオモード同様に設定可能である。
【００４３】
ステップＳ１０５において、機能確定釦１７が２０秒以上押下されずに、その状態が放置された場合、この状態を解除し、強制的に機能記憶モードを終了させる処理に移行する（ステップＳ１０６）。
【００４４】
ユーザが機能確定釦１７を押すことによって、ステアリング釦に設定するための機能が確定したら、カーオーディオ１０からはビープ音（正弦波の単調な報知音）が１回鳴る。これにより、ユーザは設定すべき機能が確定されたことを認識できる。ビープ音の発生とともに、表示部１４には確定した機能をいずれのステアリング釦に設定させるのか、該当するステアリング釦を選択してその釦を押下させるようユーザに促すために「ＳＥＬＥＣＴ  ＳＳＷ  ＫＥＹ」（ここで、ＳＳＷとはＳｔｅｅｒｉｎｇ  ＳＷｉｔｃｈを意味する
）などのメッセージを表示する（ステップ１０７）。
【００４５】
なお、ビープ音はマイコン４６に設けられた正弦波発生回路から直接増幅器４４を介してスピーカＳＰに接続されているが、ビープ音を発生させるべきタイミングでＤＳＰ４３などの他の部品が音声を発生するように構成しても良い。
【００４６】
マイコン４６は、このメッセージを表示し始めてから２０秒間時間をカウントする（ステップＳ１０８）。２０秒経過してユーザがステアリング釦のいずれかを押さずに放置すると、機能記憶モードを終了する。
【００４７】
このメッセージを確認したユーザは、メッセージが表示されてから２０秒以内に、確定した機能をどのステアリング釦に割り振るかを選択し、ユーザが選択したステアリング釦３１ａ〜３１ｆのいずれかを押下する（ステップＳ１０９）。この押下操作により、ステアリングホイール３０の信号発生器５１から所定の電圧値である電圧が発生（あるいは電圧値が変化）する。より具体的には、ステアリング釦３１ａ〜３１ｆのいずれの釦も押下されていない状態では、信号発生器５１の端子Ｓａあるいは端子Ｓｂの電位はＶｃｃ（Ｖ）であるが、例えばステップＳ１０５において機能が確定され、表示を見たユーザが複数のステアリング釦のうち、ステアリング釦３１ｂを押下したとすると、ステアリング釦３１ｂに対応するスイッチＳＷａ２がＯＮ状態、すなわち、スイッチＳＷａ２の両端が電気的に導通状態となる。ここで、端子Ｓｖには電位Ｖｃｃ（Ｖ）で電源が供給されているので、端子Ｓｖから抵抗５２ａ、抵抗５２ｂ、抵抗５２ｃ、スイッチ  ＳＷａ２、ＧＮＤという閉回路が形成されるので、端子Ｓａの電位は電源電圧Ｖｃｃ（Ｖ）を抵抗５２ｂおよび抵抗５２ｃの和と抵抗５２ａとで分圧した値に変化することになる。
【００４８】
なお、信号発生器５１はステアリング釦３１の配列に対応して信号Ｓａ、信号Ｓｂの２系統の信号を出力するように構成されているが、信号Ｓａが入力されるマイコン４６のポートと信号Ｓｂが入力されるマイコン４６のポートとはそれぞれ別の入力ポートを用いるように構成しているので、どの入力ポートに信号が入力されたかを検知することで、２系統の信号を区別して処理することができる。
【００４９】
このようにしてステアリングホイール３０の信号発生器５１から所定の電圧値である電圧が発生（あるいは電圧値が変化）すると、この電位の変化がステアリングホイール３０側に設けられたコネクタ５０、カーオーディオ１０のコネクタ４９を介してカーオーディオ１０のマイコン４６で検出され、発生した（あるいは変化した）電圧の電圧値が既にマイコン４６のメモリに記憶されているか否かの確認処理を行う（ステップＳ１１０）。これは、既に機能選定処理が行われてＳ１０９で選択したステアリング釦に他の機能が対応付けされている場合の重複を避けるためである。もし、既に他の機能に対応付けされている電圧値であれば、他のステアリング釦に前段階で確定した機能を設定することをユーザに促すために「ＳＥＬＥＣＴ  ＡＮＯＴＨＥＲ  ＫＥＹ」などを表示部１４に表示させる処理を実行し（ステップＳ１１１）、ステアリング釦の再選択処理に移行させる。
【００５０】
また、マイコン４６のメモリに、Ｓ１０９で発生した（あるいは変化した）電圧の電圧値がマイコン４６のメモリに記憶されていなければ信号発生器５１からの所定の電圧値としてステップ１０４で確定された機能が対応付けられてマイコン４６内のメモリに記憶される（ステップＳ１１２）。
【００５１】
確定された機能が、複数のステアリング釦のうちの１つをあらわす所定の電圧値に対応付けられてマイコン４６のメモリに記憶されると、カーオーディオ１０からはビープ音が発生する。これにより、機能選定処理を終えたことがユーザに知らされる。また、このビープ音の発生とともに、表示部１４に「ＫＥＹ  ＤＥＣＩＤＥＤ」などのメッセージが表
示され、機能選定処理を終えたことをユーザに知らせる（ステップＳ１１３）。
【００５２】
機能選定処理を終えたことをユーザに知らせる表示を５秒程度継続した後、次に、他の機能を他のステアリング釦に設定するか、あるいは、そのまま機能記憶モードを終了するかのユーザへの問合せを示す「ＳＥＴ  ＯＴＨＥＲ？」などの表示内容が表示部１４に表示される（ステップＳ１１４）。この問合せメッセージの表示時間は１０秒程としているが、この時間は適宜設定すればよい。
【００５３】
問合せメッセージが表示されている間にユーザが記憶モード釦１７を押下すると次の処理に移行する。次の処理とは、他の機能を他のステアリング釦に設定するか、あるいは、そのまま機能記憶モードを終了するかの処理（ステップＳ１１５）であり、ここでも、記憶モード釦１７の長押しか短押しかで、次に移行する処理内容を判別させている。すなわち、問合せメッセージ表示中にユーザが記憶モード釦１７を長押しした場合は機能記憶モードを終了し、短押しした場合はステップＳ１０４の機能記憶モード状態表示に移行して、ユーザが機能確定操作をしてから機能選定処理を繰り返すこととなる。
【００５４】
なお、Ｓ１０９で選択するステアリング釦についても、短押しと長押しを区別できるように設定することが可能である。その場合、短押しおよび長押しのいずれか一方のみを用いて機能割当てする場合に比べて、ステアリング釦で操作できる機能が増えることとなる。
【００５５】
記憶モード釦１７を長押しすると、上述したように機能記憶モードを終了し、通常動作に移行する。ステップＳ１０１〜Ｓ１１５にて各ステアリング釦に割当てた機能を、各ステアリング釦を押下する事でマイコン４６にて判別し処理を行う。カーオーディオ本体の釦とステアリング釦とで同時に押す場合が有りうる。この場合、どちらかの釦を押下している間に他方の釦を押下しても他方の釦に割当てられた機能は無効となる。つまりカーオーディオ本体の釦とステアリング釦とを押下している時間が重複している場合は、先に押下した釦の機能のみ有効とし、後に押下した釦の機能は無効とする。
【００５６】
以上説明したように、本発明の実施形態のカーオーディオは、ステアリングホイールに設けられたステアリング釦を操作することで発生（あるいは変化）する所定の電圧値を検出し、この電圧値とカーオーディオの所定の機能とを対応付けて記憶することにより、簡単な構成でユーザの希望するカーオーディオの機能をステアリング釦で操作することができるようになるという効果を有する。
【００５７】
（第２の実施の形態）
次に、本発明の第２の実施の形態にかかる車載電子装置について説明する。
本発明の第２の実施の形態にかかる車載電子装置は、装置の構成は本発明の第１の実施の形態と同様であり、機能設定処理の処理順序が異なるだけであるため、ステアリング釦の機能割り当てについて、詳細な動作説明を行う。
【００５８】
図５は、本実施の形態における、ステアリング釦の機能割り当てのフロー図を示す。
【００５９】
まず、第１の実施形態と同様に、準備段階として、ユーザは車両のイグニッションキーを操作してＢＡＴ／ＯＮ、ＡＣＣ／ＯＮの状態にする。この状態で、カーオーディオ１０の電源が入っている状態であれば、電源釦１５を１回押下して、カーオーディオ１０を電源ＯＦＦ状態にする。
【００６０】
この状態でユーザが記憶モード釦１７を押下する（ステップＳ２０１）。すると、スタンバイ状態のマイコン４６がこの操作を検知し、記憶モード釦１７が押下されてから押下
状態にある間の経過時間を計測する（ステップＳ２０２）。この際、記憶モード釦１７が押下されて始めてから２秒間継続して記憶モード釦１７が押され続けた場合、２秒経過した時点で機能記憶モードへ移行する。このとき、記憶モード釦１７が押下され始めてから釦の押下状態が２秒継続しなかった場合は機能記憶モードに移行せず、処理を終了し（ステップＳ２０３）そのままマイコン４６がスタンバイ状態となる。
【００６１】
機能記憶モードへ移行すると、カーオーディオ１０の動作状態が通常動作モードから機能記憶モードへ移行したことを通知するため、さらにはユーザの希望する機能をいずれのステアリング釦に設定するかの選択を促すために、機能記憶モード通知メッセージを表示部１４に表示する（ステップＳ２０４）。具体的には、例えば「ＳＥＬＥＣＴ  ＡＮＹ  ＳＳＷ」などの表示を行う。このメッセージを表示した後にいずれかのステアリング釦を押した時点でメッセージ表示が終了し、機能選定処理に移行する。
【００６２】
ユーザは、複数のステアリング釦のうち、いずれの釦に所望のカーオーディオの機能を対応させたいかの選択をして、選択した釦を押下する（ステップＳ２０５）。この押下操作により、ステアリングホイール３０の信号発生器５１から所定の電圧値である電圧が発生（あるいは電圧値が変化）する。この際の電圧発生（あるいは電圧値変化）についても、第１の実施の形態で説明したのと同様である。また、機能記憶モード通知メッセージが表示され始めてから２０秒ほどユーザがステアリング釦の何れの釦も押下しなければ、この状態を解除し、強制的に機能記憶モードを終了させる処理に移行する（ステップＳ２０６）。
【００６３】
ステアリングホイール３０の信号発生器５１から所定の電圧値である電圧が発生（あるいは電圧値が変化）すると、この電位の変化がステアリングホイール３０側に設けられたコネクタ５０、カーオーディオ１０のコネクタ４９を介してカーオーディオ１０のマイコン４６で検出され、発生した（あるいは変化した）電圧の電圧値が既にマイコン４６のメモリに記憶されているか否かの確認処理を行う（ステップＳ２０７）。もし、既に他の機能に対応付けされている電圧値であれば、他のステアリング釦に前段階で確定した機能を設定することをユーザに促すために「ＳＥＬＥＣＴ  ＡＮＯＴＨＥＲ  ＫＥＹ」などを表示部１４に表示させる処理を実行し（ステップＳ２０８）、ステアリング釦の再選択処理に移行する。
【００６４】
また、マイコン４６のメモリに、Ｓ２０７で検出した（あるいは変化した）信号の電圧値がそれ以前にマイコン４６のメモリに記憶されていなければ、機能設定すべきステアリング釦が確定したことをユーザに報知するために、カーオーディオ１０からはビープ音が１回鳴り、確定したステアリング釦に対して設定したいカーオーディオの機能を確定することをユーザに促すために、例えば「ＳＥＬＥＣＴ  ＦＵＮＣＴＩＯＮ」などのメッセージを表示部１４に表示する（ステップＳ２０９）。
【００６５】
ステップＳ２０９で機能確定促進メッセージが表示されたあと、ユーザは、機能選定のための釦操作をする。この際、カーオーディオ１０のプリセット釦１６ａ〜１６ｆや選択釦１８などの、なんらかの操作釦を操作した時点で機能確定推進メッセージ表示は終了し、表示部１４には通常動作時と同様の、各操作釦に対応した機能表示内容が表示される。ただし、いずれの操作釦も操作されない状態、すなわち、釦押下などの通常操作がマイコン４６で検出されない状態をマイコン４６がカウントして（ステップＳ２１０）、操作が検出されない状態が１０秒継続すると、機能確定処理を終了し、機能記憶モードを終了する。
【００６６】
ユーザは、なんらかの操作釦を操作しつつ、表示部１４の機能表示内容を確認しながらユーザが選定したい機能が表示されるよう操作し、該当機能の状態が表示されたらその機
能を確定するために機能確定釦を押下する（ステップＳ２１１）。
【００６７】
本実施形態の場合においても、機能確定釦は記憶モード釦１７と共用しており、この釦を長押し（２秒以上）することで上述したとおり機能記憶モードに移行し、短押（2秒未満）することで機能確定としている。
このように、機能確定釦を押す直前に表示部に表示された内容が、それより前に確定されていたユーザが希望するステアリング釦を操作することで発生する（あるいは変化する）信号の電圧値と確定された機能が対応付けられてマイコン４６内のメモリに記憶される（ステップＳ２１２）。その後、カーオーディオ１０からはビープ音が発生する。これにより、機能選定処理を終えたことがユーザに知らされる。また、このビープ音の発生とともに、表示部１４に「ＫＥＹ  ＤＥＣＩＤＥＤ」などのメッセージが表示され、機能選定処理を終えたことをユーザに知らせる（ステップＳ２１３）。
【００６８】
機能選定処理を終えたことをユーザに知らせる表示を５秒程度継続した後、次に、他の機能を他のステアリング釦に設定するか、あるいは、そのまま機能記憶モードを終了するかのユーザへの問合せを示す「ＳＥＴ  ＯＴＨＥＲ？」などの表示内容が表示部１４に表示される（ステップＳ２１４）。
【００６９】
問合せメッセージが表示されている間にユーザが記憶モード釦１７を押下すると次の処理に移行する。次の処理とは、他の機能を他のステアリング釦に設定するか、あるいは、そのまま機能記憶モードを終了するかの処理（ステップＳ２１５）であり、ここでも、記憶モード釦１７の長押しか短押しかで、次に移行する処理内容を判別させている。すなわち、問合せメッセージ表示中にユーザが記憶モード釦１７を長押しした場合は機能記憶モードを終了し、短押しした場合はステップＳ２０４の記憶モード状態表示に移行して、機能選定処理を繰り返すこととなる。
【００７０】
記憶モード釦１７を長押しすると、上述したように機能記憶モードを終了し、通常動作に移行する。ステップＳ１０１〜Ｓ１１５にて各ステアリング釦に割当てた機能を、各ステアリング釦を押下する事でマイコン４６にて判別し処理を行う。カーオーディオ本体の釦とステアリング釦とで同時に押す場合が有りうる。この場合、どちらかの釦を押下している間に他方の釦を押下しても他方の釦に割当てられた機能は無効となる。つまりカーオーディオ本体の釦とステアリング釦とを押下している時間が重複している場合は、先に押下した釦の機能のみ有効とし、後に押下した釦の機能は無効とする。
【００７１】
一般的に、カーオーディオはデザインが重視されていて、カーオーディオに設けられている操作釦のレイアウトは様々で整然と列を成すことが少なかったり、あるいは操作釦が一定の規則性に則って整然と配列されていたとしても、カーオーディオの多くの機能に対して限られたスペースしか確保できないため、釦の数を少なくせざるを得ず、それゆえに一つの釦に多くの機能を設定していたり、機能を特定する際に複数の釦を操作しなければならない場合が多い（例えば、モード切替釦を押してＦＭラジオモードに切り換えた後に受信局設定の釦を必要回数押すなど）。これに対して、ステアリングホイールに設けられている釦は、ステアリングホイール自体の操作に集中できるように、所定の１〜２箇所に整然と配列されていることが多い。
【００７２】
したがって、ユーザが機能の割り当て操作を複数回行うような場合は、記憶にとどめておきやすいステアリング釦を先に確定して、その後にやや煩雑な機能確定操作を行ったほうが、ステアリング釦確定時にステアリング釦を重複して選択することが低減されるものと考えられる。
【００７３】
以上説明したように、本発明の実施形態のカーオーディオは、ステアリングホイールに
設けられたステアリング釦を操作することで発生（あるいは変化）する所定の電圧値を検出し、この電圧値とカーオーディオの所定の機能とを対応付けて記憶することにより、簡単な構成でユーザの希望するカーオーディオの機能をステアリング釦で操作することができるようになるという効果を有する。さらに、本発明の第２の実施の形態においては、機能を割り当てたいステアリング釦を先に確定することで順序良く機能の割り当てができるので、機能割り当ての操作中に、ステアリング釦を重複して選択することを低減することができる。
【００７４】
また、上記の説明においては、外部操作装置として、ステアリングホイールに設けられたステアリング釦を挙げて説明したが、車両に設けられて機能が割当てられていない釦を有する電子装置などでも本発明を実現することが可能であり、ステアリング釦に限定されない。
【産業上の利用可能性】
【００７５】
本発明の車載電子装置は、簡単な構成でユーザの希望するカーオーディオの機能をステアリング釦で操作することができるようになるという効果を有し、カーオーディオ等に有用である。
【図面の簡単な説明】
【００７６】
【図１】本発明の実施形態の車載電子装置としてのカーオーディオの正面視図
【図２】本発明の実施形態のカーオーディオが車両に搭載された状態を示す図
【図３】本発明の実施形態のカーオーディオおよびステアリングホイールの内部構成の一例を示すブロック図
【図４】本発明の第１実施形態におけるステアリング釦の機能割り当てのフロー図
【図５】本発明の第２実施形態におけるステアリング釦の機能割り当てのフロー図
【符号の説明】
【００７７】
１０  カーオーディオ
１１  操作パネル
１２  記録メディア挿入口
１３  ボリューム
１４  表示部
１５  電源釦
１６ａ  プリセット釦
１６ｂ  プリセット釦
１６ｃ  プリセット釦
１６ｄ  プリセット釦
１６ｅ  プリセット釦
１６ｆ  プリセット釦
１７  記憶モード釦
２０  車載エアコン
３０  ステアリングホイール
３１ａ  ステアリング釦
３１ｂ  ステアリング釦
３１ｃ  ステアリング釦
３１ｄ  ステアリング釦
３１ｅ  ステアリング釦
３１ｆ  ステアリング釦
４１  チューナ
４２  メディア再生部
４３  ＤＳＰ（Ｄｉｇｉｔａｌ  Ｓｏｕｎｄ  Ｐｒｏｃｅｓｓｏｒ）
４４  増幅器
４５電源コントローラ
４６  マイコン
４７  操作部
４８  表示ドライバ
４９  コネクタ（カーオーディオ側）
５０  コネクタ（ステアリング側）
５１  信号発生器
５２ａ〜５２ｄ  抵抗器
５３ａ〜５３ｄ  抵抗器
ＳＷａ１〜ＳＷａ３  スイッチ
ＳＷｂ１〜ＳＷｂ３  スイッチ
ＡＮＴ  アンテナ
ＧＮＤ  グランド
ＳＰ  スピーカ
【図１】
2008265633.tif 000003
【図２】
2008265633.tif 000004
【図３】
2008265633.tif 000005
【図４】
2008265633.tif 000006
【図５】
2008265633.tif 000007